(57)【要約】【課題】従来よりも、テレビ番組、番組関連情報、ネット情報の順でユーザが注視して閲覧することを確保できる情報提供システムを提供する。【解決手段】番組関連情報サーバ３０と、放送波によって番組関連情報ＩＤを受信するテレビ受信機５０と、テレビ受信機５０から番組関連情報ＩＤを受信する端末装置７０とを備え、端末装置７０は、番組関連情報ＩＤを受信すると、番組関連情報サーバ３０から、番組関連情報ＩＤに対応する番組関連情報を取得して表示部７６の第１表示領域７６ａに表示する番組関連情報表示制御部７４ａと、通信ネットワーク１５に接続されたネット情報サーバからネット情報を取得して表示部７６の第２表示領域７６ｂに表示するネット情報表示制御部７４ｂとを有し、ネット情報表示制御部７４ｂは、番組関連情報が第１表示領域７６ａに表示されてから所定の遅延時間が経過した後に、ネット情報を第２表示領域７６ｂに表示する。【選択図】図１
2016036073.tif 000002
【特許請求の範囲】
【請求項１】
テレビ番組の放送と並行して、前記テレビ番組の内容に連動した補助情報である番組関連情報を提供する情報提供システムであって、
放送される可能性があるテレビ番組について、番組関連情報を保持し、外部からの指示に従って、通信ネットワークを介して前記番組関連情報を提供する番組関連情報サーバと、
放送波によって、テレビ番組と、当該テレビ番組の番組関連情報を識別するための番組関連情報ＩＤとを受信するテレビ受信機と、
前記テレビ受信機から、前記テレビ受信機が受信した前記番組関連情報ＩＤを受信する端末装置とを備え、
前記端末装置は、
表示画面を有する表示部と、
前記番組関連情報ＩＤを受信すると、受信した前記番組関連情報ＩＤを前記番組関連情報サーバに送信することにより、前記番組関連情報サーバから、前記番組関連情報ＩＤに対応する番組関連情報を取得し、取得した前記番組関連情報を前記表示部の第１表示領域に表示する番組関連情報表示制御部と、
前記通信ネットワークに接続されたネット情報サーバから、前記通信ネットワークを介して、前記ネット情報サーバが保持する情報であるネット情報を取得して前記表示部の第２表示領域に表示するネット情報表示制御部とを有し、
前記ネット情報表示制御部は、前記番組関連情報が前記第１表示領域に表示されてから所定の遅延時間が経過した後に、前記ネット情報を前記第２表示領域に表示する
情報提供システム。
【請求項２】
前記番組関連情報表示制御部は、新たに番組関連情報ＩＤを受信する度に、当該番組関連情報ＩＤに対応する番組関連情報を前記番組関連情報サーバから取得して前記第１表示領域に表示することによって、前記第１表示領域における表示の更新を繰り返し、
前記ネット情報表示制御部は、前記ネット情報サーバから新たにネット情報を取得して前記第２表示領域に表示することによって、前記第２表示領域における表示の更新を繰り返し、
前記ネット情報表示制御部は、前記第１表示領域における表示が更新されてから前記所定の遅延時間が経過した後に、前記第２表示領域における表示を更新する
請求項１記載の情報提供システム。
【請求項３】
前記番組関連情報サーバは、前記端末装置から前記番組関連情報ＩＤを受信した場合に、受信した前記番組関連情報ＩＤに対応する前記番組関連情報に加えて、前記所定の遅延時間を示す遅延情報を前記端末装置に送信し、
前記番組関連情報表示制御部は、前記番組関連情報サーバから、前記番組関連情報と前記遅延情報とを取得し、
前記ネット情報表示制御部は、前記番組関連情報が前記第１表示領域に表示されてから、前記番組関連情報表示制御部が取得した前記遅延情報が示す所定の遅延時間が経過した後に、前記ネット情報を前記第２表示領域に表示する
請求項１又は２記載の情報提供システム。
【請求項４】
前記番組関連情報サーバは、放送される可能性があるテレビ番組について、番組関連情報ＩＤと、前記番組関連情報ＩＤに対応する番組関連情報と、前記番組関連情報ＩＤに対応する遅延情報とを含む番組関連情報テーブルを保持し、前記端末装置から前記番組関連情報ＩＤを受信した場合に、前記番組関連情報テーブルを参照することにより、受信した前記番組関連情報ＩＤに対応する前記番組関連情報と前記遅延情報とを特定して前記端末装置に送信する
請求項３記載の情報提供システム。
【請求項５】
前記番組関連情報サーバは、放送される可能性があるテレビ番組について、番組関連情報ＩＤと、前記番組関連情報ＩＤに対応する番組関連情報とを含む番組関連情報テーブルを保持し、前記端末装置から前記番組関連情報ＩＤを受信した場合に、前記番組関連情報テーブルを参照することにより、受信した前記番組関連情報ＩＤに対応する前記番組関連情報を特定し、特定した前記番組関連情報に基づいて前記遅延情報を生成し、特定した前記番組関連情報と生成した前記遅延情報とを前記端末装置に送信する
請求項３記載の情報提供システム。
【請求項６】
前記番組関連情報サーバは、前記番組関連情報のデータサイズに基づいて前記所定の遅延時間を決定し、決定した前記所定の遅延時間を示す前記遅延情報を生成する
請求項５記載の情報提供システム。
【請求項７】
前記ネット情報表示制御部は、前記番組関連情報表示制御部が取得した前記番組関連情報に基づいて前記所定の遅延時間を決定し、前記番組関連情報が前記第１表示領域に表示されてから、決定した前記所定の遅延時間が経過した後に、前記ネット情報を前記第２表示領域に表示する
請求項１記載の情報提供システム。
【請求項８】
前記ネット情報表示制御部は、前記番組関連情報のデータサイズに基づいて前記所定の遅延時間を決定する
請求項７記載の情報提供システム。
【請求項９】
前記通信ネットワークは、インターネットである
請求項１〜８のいずれか１項に記載の情報提供システム。
【請求項１０】
前記番組関連情報には、前記テレビ番組に関連する広告情報、及び、前記テレビ番組の詳細な情報の少なくとも一つが含まれる
請求項１〜９のいずれか１項に記載の情報提供システム。
【請求項１１】
請求項１〜１０のいずれか１項に記載の情報提供システムにおける番組関連情報サーバ。
【請求項１２】
請求項１〜１０のいずれか１項に記載の情報提供システムにおける端末装置。
【請求項１３】
テレビ番組の放送と並行して、前記テレビ番組の内容に連動した補助情報である番組関連情報を提供する情報提供方法であって、
テレビ受信機が、放送波によって、テレビ番組と、当該テレビ番組に関連する情報であるの番組関連情報を識別するための番組関連情報ＩＤとを受信する放送波受信ステップと、
端末装置が、前記テレビ受信機から、前記テレビ受信機が受信した前記番組関連情報ＩＤを受信する番組関連情報ＩＤ受信ステップと、
前記端末装置が、前記番組関連情報ＩＤを受信すると、受信した前記番組関連情報ＩＤを、通信ネットワークを介して番組関連情報サーバに送信することにより、前記番組関連情報サーバから、前記番組関連情報ＩＤに対応する番組関連情報を取得し、取得した前記番組関連情報を前記端末装置が備える表示部の第１表示領域に表示する番組関連情報表示ステップと、
前記端末装置が、前記通信ネットワークに接続されたネット情報サーバから、前記通信ネットワークを介して、前記ネット情報サーバが保持する情報であるネット情報を取得して前記表示部の第２表示領域に表示するネット情報表示ステップとを含み、
前記ネット情報表示ステップでは、前記番組関連情報が前記第１表示領域に表示されてから所定の遅延時間が経過した後に、前記ネット情報を前記第２表示領域に表示する
情報提供方法。
【請求項１４】
前記番組関連情報表示ステップでは、新たに番組関連情報ＩＤを受信する度に、当該番組関連情報ＩＤに対応する番組関連情報を前記番組関連情報サーバから取得して前記第１表示領域に表示することによって、前記第１表示領域における表示の更新を繰り返し、
前記ネット情報表示ステップでは、前記ネット情報サーバから新たにネット情報を取得して前記第２表示領域に表示することによって、前記第２表示領域における表示の更新を繰り返し、
前記ネット情報表示ステップでは、前記第１表示領域における表示が更新されてから前記所定の遅延時間が経過した後に、前記第２表示領域における表示を更新する
請求項１３記載の情報提供方法。
【発明の詳細な説明】
【技術分野】
【０００１】
本開示は、テレビ番組の放送と並行して、テレビ番組の内容に連動した補助情報である番組関連情報を提供する情報提供システムに関し、特に、番組関連情報とともに、インターネット等の通信ネットワークで取得できるネット情報を端末装置に表示する情報提供システムに関する。
【背景技術】
【０００２】
テレビ番組の放送と並行して、テレビ番組の内容に連動した補助情報である番組関連情報を提供する情報提供システムが提案されている。この情報提供システムによれば、テレビ受信機でテレビ番組を視聴しているときに、そのテレビ受信機と無線接続されたスマートフォン等の端末装置に、テレビ受信機が受信しているテレビ番組の内容に連動した補助情報である番組関連情報が表示される。番組関連情報は、例えば、テレビ受信機が受信しているテレビ番組に関連する広告情報、又は、テレビ番組の詳細な情報（登場人物を紹介する情報等）である。
【０００３】
この情報提供システムでは、放送波から、テレビ番組とともに、放送局の意図したタイミングで、番組関連情報を識別する番組関連情報ＩＤが送信されてくる。テレビ受信機は、番組関連情報ＩＤを受信すると、その番組関連情報ＩＤを、無線通信を介して、端末装置に転送する。一方、端末装置では、特定のアプリケーション・プログラム（アプリ）が実行されており、端末装置は、番組関連情報ＩＤを受信する度に、インターネットを介して、その番組関連情報ＩＤに対応する番組関連情報を取得し、端末装置の画面に表示する。このような、アプリにより、テレビ番組を視聴しているユーザは、手元の端末装置で、テレビ受信機で視聴しているテレビ番組の内容に連動した番組関連情報（広告、あるいは、登場人物を紹介する情報等）を見ることができる。これにより、放送局が意図するタイミングで、ユーザの端末装置に番組関連情報が表示され、テレビ番組を視聴するユーザの利便性が向上されるとともに、番組関連情報として広告を採用した場合には、テレビ受信機で視聴している放送内容の情報を端末装置で放送と同時に確認できるので効果的な広告効果が得られる。
【０００４】
ところで、近年、インターネットに代表される通信ネットワークによる広告（ネット広告）の配信技術が提案されており（例えば、特許文献１参照）、上述のようなアプリでは、端末装置の画面に、番組関連情報だけでなく、ネット広告に代表される、インターネット等の通信ネットワーク上で提供される情報（以下、「ネット情報」）も同時に表示される。放送局としては、番組関連情報による広告効果を下げずにネット情報の配信による収入を得るために、テレビ受信機で表示されるテレビ番組、端末装置に表示される番組関連情報、端末装置に表示されるネット情報の順で、ユーザが注視して閲覧することを望んでいる。
【先行技術文献】
【特許文献】
【０００５】
【特許文献１】特許第４９８０３７１号公報
【発明の概要】
【発明が解決しようとする課題】
【０００６】
しかしながら、上記従来の技術では、放送局が番組関連情報の表示（表示の切り替え）を指示するタイミングとネット情報の表示を切り替えるタイミングとが異なるために、端末装置に表示された番組関連情報の内容を理解する前にネット情報の表示が切り替わることがあり、ユーザが番組関連情報の閲覧に集中できないという問題がある。
【０００７】
つまり、従来の技術におけるアプリでは、テレビ受信機で表示されるテレビ番組、端末装置に表示される番組関連情報、端末装置に表示されるネット情報の順でユーザが注視して閲覧することが確保されないという問題がある。
【０００８】
そこで、本開示は、上記問題を解決するためになされたものであり、番組関連情報を提供する情報提供システムであって、従来よりも、テレビ番組、番組関連情報、ネット情報の順でユーザが注視して閲覧することを確保できる情報提供システム等を提供することを目的とする。
【課題を解決するための手段】
【０００９】
上記目的を達成するために、本開示の一形態に係る情報提供システムは、テレビ番組の放送と並行して、前記テレビ番組の内容に連動した補助情報である番組関連情報を提供する情報提供システムであって、放送される可能性があるテレビ番組について、番組関連情報を保持し、外部からの指示に従って、通信ネットワークを介して前記番組関連情報を提供する番組関連情報サーバと、放送波によって、テレビ番組と、当該テレビ番組の番組関連情報を識別するための番組関連情報ＩＤとを受信するテレビ受信機と、前記テレビ受信機から、前記テレビ受信機が受信した前記番組関連情報ＩＤを受信する端末装置とを備え、前記端末装置は、表示画面を有する表示部と、前記番組関連情報ＩＤを受信すると、受信した前記番組関連情報ＩＤを前記番組関連情報サーバに送信することにより、前記番組関連情報サーバから、前記番組関連情報ＩＤに対応する番組関連情報を取得し、取得した前記番組関連情報を前記表示部の第１表示領域に表示する番組関連情報表示制御部と、前記通信ネットワークに接続されたネット情報サーバから、前記通信ネットワークを介して、前記ネット情報サーバが保持する情報であるネット情報を取得して前記表示部の第２表示領域に表示するネット情報表示制御部とを有し、前記ネット情報表示制御部は、前記番組関連情報が前記第１表示領域に表示されてから所定の遅延時間が経過した後に、前記ネット情報を前記第２表示領域に表示する。
【００１０】
また、上記目的を達成するために、本開示の一形態に係る情報提供方法は、テレビ番組の放送と並行して、前記テレビ番組の内容に連動した補助情報である番組関連情報を提供する情報提供方法であって、テレビ受信機が、放送波によって、テレビ番組と、当該テレビ番組に関連する情報であるの番組関連情報を識別するための番組関連情報ＩＤとを受信する放送波受信ステップと、端末装置が、前記テレビ受信機から、前記テレビ受信機が受信した前記番組関連情報ＩＤを受信する番組関連情報ＩＤ受信ステップと、前記端末装置が、前記番組関連情報ＩＤを受信すると、受信した前記番組関連情報ＩＤを、通信ネットワークを介して番組関連情報サーバに送信することにより、前記番組関連情報サーバから、前記番組関連情報ＩＤに対応する番組関連情報を取得し、取得した前記番組関連情報を前記端末装置が備える表示部の第１表示領域に表示する番組関連情報表示ステップと、前記端末装置が、前記通信ネットワークに接続されたネット情報サーバから、前記通信ネットワークを介して、前記ネット情報サーバが保持する情報であるネット情報を取得して前記表示部の第２表示領域に表示するネット情報表示ステップとを含み、前記ネット情報表示ステップでは、前記番組関連情報が前記第１表示領域に表示されてから所定の遅延時間が経過した後に、前記ネット情報を前記第２表示領域に表示する。
【発明の効果】
【００１１】
本開示に係る情報提供システム及び情報提供方法により、従来よりも、テレビ番組、番組関連情報、ネット情報の順でユーザが注視して閲覧することが確保される。
【図面の簡単な説明】
【００１２】
【図１】実施の形態における情報提供システムの構成を示す図
【図２】図１に示されたテレビ受信機の構成を示すブロック図
【図３】図１に示された端末装置の構成を示すブロック図
【図４】図１に示された番組関連情報サーバの構成を示すブロック図
【図５】同番組関連情報サーバが有する番組関連情報テーブルの一例を示す図
【図６】実施の形態における情報提供システムの動作を示す通信シーケンス図
【図７】同端末装置における番組関連情報とネット情報の表示例を示す図
【図８】本実施の形態における番組関連情報サーバが保持する番組関連情報テーブルの遅延情報の生成方法を示すフローチャート
【図９】本実施の形態における番組関連情報サーバが端末装置に遅延情報を送信する際の手順を示すフローチャート
【図１０】本実施の形態の変形例における情報提供システムの動作を示す通信シーケンス図
【図１１】同番組関連情報サーバが有する番組関連情報テーブルの別の一例を示す図
【図１２】同端末装置における番組関連情報とネット情報の別の表示例を示す図
【発明を実施するための形態】
【００１３】
以下、本開示に係る情報提供システム及び情報提供方法の実施の形態について、図面を用いて詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
また、発明者（ら）は、当業者が本開示を十分に理解するために添付図面および以下の説明を提供するのであって、これらによって特許請求の範囲に記載の主題を限定することを意図するものではない。つまり、以下で説明する実施の形態は、いずれも本発明の好ましい一具体例を示すものである。以下の実施の形態で示される数値、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１５】
（実施の形態）
以下、図１〜図９を用いて、実施の形態を説明する。
【００１６】
［１．構成］
［１−１．ネットワーク接続構成］
図１は、実施の形態における情報提供システム１０の構成を示す図である。
【００１７】
この情報提供システム１０は、テレビ番組の放送と並行して、テレビ番組の内容に連動した補助情報である番組関連情報を提供するシステムであって、番組関連情報サーバ３０と、テレビ受信機５０と、端末装置７０とを備える。なお、本図には、情報提供システム１０に付帯する構成要素として、放送局２０、ネット情報サーバ４０、無線ルータ６０及び通信ネットワーク１５も併せて図示されている。
【００１８】
通信ネットワーク１５は、番組関連情報サーバ３０、ネット情報サーバ４０及び無線ルータ６０を接続する通信路であり、例えば、インターネットである。
【００１９】
放送局２０は、テレビ番組を放送する設備である。放送局は、放送波で、テレビ番組と並行して、任意のタイミングで、いま放送しているテレビ番組の番組関連情報を識別するための番組関連情報ＩＤを送信している。なお、番組関連情報ＩＤは、本実施の形態では、番組関連情報を識別するだけでなく、この番組関連情報ＩＤを受信した端末装置７０に対して、番組関連情報ＩＤが示す番組関連情報を取得させる指示でもある。
【００２０】
番組関連情報サーバ３０は、放送される可能性があるテレビ番組について、番組関連情報を保持し、外部からの指示に従って、通信ネットワーク１５を介して番組関連情報を提供する装置である。番組関連情報は、例えば、テレビ受信機が受信しているにテレビ番組に関連する広告情報、及び、テレビ番組の詳細な情報（登場人物の紹介等）の少なくとも一つが含まれる。
【００２１】
ネット情報サーバ４０は、保持する情報（ネット情報）を、通信ネットワーク１５を介して提供する装置である。ネット情報は、例えば、広告等であり、典型的には、テレビ番組に関連しない情報であるが、テレビ番組に関連する情報であってもよい。
【００２２】
無線ルータ６０は、異なる通信ネットワーク間の通信を中継する通信機器であり、無線通信で接続されるテレビ受信機５０及び端末装置７０を通信ネットワーク１５に接続したり、テレビ受信機５０と端末装置７０との無線通信を中継したりする。
【００２３】
テレビ受信機５０は、放送局２０からの放送波によって、テレビ番組と、当該テレビ番組の番組関連情報を識別するための番組関連情報ＩＤとを受信する装置であり、本実施の形態では、受信したテレビ番組を表示するとともに、受信した番組関連情報ＩＤを、無線ルータ６０を介して、端末装置７０に転送する。
【００２４】
端末装置７０は、テレビ受信機５０から、テレビ受信機５０が受信した番組関連情報ＩＤを受信する装置であり、例えば、スマートフォン等である。本実施の形態では、番組関連情報ＩＤを受信した端末装置７０は、その番組関連情報ＩＤに対応する番組関連情報を番組関連情報サーバ３０から取得して表示するとともに、ネット情報サーバ４０からネット情報を取得して表示する。
【００２５】
［１−２．テレビ受信機の構成］
図２は、図１に示されたテレビ受信機５０の構成を示すブロック図である。このテレビ受信機５０は、放送受信部５２、制御部５４、表示部５６及び通信Ｉ／Ｆ５８を備える。
【００２６】
放送受信部５２は、放送局２０からの放送波を受信し復号する処理部である。
【００２７】
表示部５６は、ＬＣＤ等の表示画面を有する表示出力装置である。
【００２８】
通信Ｉ／Ｆ５８は、無線ルータ６０を介して、端末装置７０と通信したり、さらに通信ネットワーク１５に接続された機器と通信したりする通信処理部であり、本実施の形態では、テレビ受信機５０が受信した番組関連情報ＩＤを端末装置７０に転送するのに用いられる。
【００２９】
制御部５４は、テレビ受信機５０を構成する各構成要素を制御するコントローラであり、プログラムが格納された不揮発性メモリ、プログラムを実行するための一時的な記憶領域である不揮発性メモリ、入出力ポート、プログラムを実行するプロセッサ等を有する。本実施の形態では、制御部５４は、放送受信部５２が受信したテレビ番組を表示部５６に表示するだけでなく、特定のアプリを実行しており、テレビ受信機５０が番組関連情報ＩＤを受信すると、受信した番組関連情報ＩＤを端末装置７０に転送する。
【００３０】
［１−３．端末装置の構成］
図３は、図１に示された端末装置７０の構成を示すブロック図である。この端末装置７０は、入力部７２、制御部７４、表示部７６及び通信Ｉ／Ｆ７８を備える。
【００３１】
入力部７２は、ボタン、タッチパネル等のユーザ指示を受け付ける入力装置である。
【００３２】
表示部７６は、ＬＣＤ等の表示画面を有する表示出力装置である。
【００３３】
通信Ｉ／Ｆ７８は、無線ルータ６０を介して、テレビ受信機５０と通信したり、さらに通信ネットワーク１５に接続された番組関連情報サーバ３０及びネット情報サーバ４０と通信したりする通信処理部であり、本実施の形態では、テレビ受信機５０から転送されてくる番組関連情報ＩＤを受信したり、その番組関連情報ＩＤを用いて番組関連情報サーバ３０から番組関連情報を取得したり、ネット情報サーバ４０からネット情報を取得したりするのに用いられる。
【００３４】
制御部７４は、端末装置７０を構成する各構成要素を制御するコントローラであり、プログラムが格納された不揮発性メモリ、プログラムを実行するための一時的な記憶領域である不揮発性メモリ、入出力ポート、プログラムを実行するプロセッサ等を有する。本実施の形態では、制御部７４は、特定のアプリを実行しており、それによって発揮される処理部として、番組関連情報表示制御部７４ａ及びネット情報表示制御部７４ｂを有する。
【００３５】
番組関連情報表示制御部７４ａは、端末装置７０がテレビ受信機５０から番組関連情報ＩＤを受信すると、受信した番組関連情報ＩＤを番組関連情報サーバ３０に送信することにより、番組関連情報サーバ３０から、番組関連情報ＩＤに対応する番組関連情報を取得し、取得した番組関連情報を表示部７６の第１表示領域に表示する処理部である。より詳しくは、番組関連情報表示制御部７４ａは、新たに番組関連情報ＩＤを受信する度に、当該番組関連情報ＩＤに対応する番組関連情報を番組関連情報サーバ３０から取得して表示部７６の第１表示領域に表示することによって、第１表示領域における表示の更新を繰り返す。
【００３６】
ネット情報表示制御部７４ｂは、通信ネットワーク１５に接続されたネット情報サーバ４０から、通信ネットワーク１５を介して、ネット情報サーバ４０が保持する情報であるネット情報を取得して表示部７６の第２表示領域に表示する処理部である。このとき、ネット情報表示制御部７４ｂは、番組関連情報表示制御部７４ａによって番組関連情報が第１表示領域に表示されてから所定の遅延時間が経過した後に、ネット情報を第２表示領域に表示する。より詳しくは、ネット情報表示制御部７４ｂは、ネット情報サーバ４０から新たにネット情報を取得して表示部７６の第２表示領域に表示することによって、第２表示領域における表示の更新を繰り返す。このとき、ネット情報表示制御部７４ｂは、第１表示領域における表示が更新されてから所定の遅延時間が経過した後に、第２表示領域における表示を更新する。
【００３７】
本実施の形態では、番組関連情報表示制御部７４ａは、番組関連情報サーバ３０から、番組関連情報と、上記所定の遅延時間を示す遅延情報とを取得する。そして、ネット情報表示制御部７４ｂは、番組関連情報が第１表示領域に表示されてから、番組関連情報表示制御部７４ａが取得した遅延情報が示す所定の遅延時間が経過した後に、ネット情報を第２表示領域に表示する。
【００３８】
［１−４．番組関連情報サーバの構成］
図４は、図１に示された番組関連情報サーバ３０の構成を示すブロック図である。この番組関連情報サーバ３０は、端末装置７０から番組関連情報ＩＤを受信した場合に、受信した番組関連情報ＩＤに対応する番組関連情報に加えて、所定の遅延時間を示す遅延情報を端末装置７０に送信する装置であり、制御部３２、記憶部３４及び通信Ｉ／Ｆ３６を備える。
【００３９】
記憶部３４は、番組関連情報テーブル３４ａを保持する記憶装置である。番組関連情報テーブル３４ａは、図５に示されるように、放送される可能性があるテレビ番組について、番組関連情報ＩＤと、番組関連情報ＩＤに対応する番組関連情報と、番組関連情報ＩＤに対応する遅延情報とを含むテーブルである。なお、図５において、遅延情報の欄における空欄は、遅延情報が未だ決定されていないために、遅延情報が番組関連情報テーブル３４ａに格納されていない状態を示す。
【００４０】
通信Ｉ／Ｆ３６は、通信ネットワーク１５に接続された機器と通信する通信処理部であり、本実施の形態では、端末装置７０と通信するのに用いられる。
【００４１】
制御部３２は、番組関連情報サーバ３０を構成する各構成要素を制御するコントローラであり、プログラムが格納された不揮発性メモリ、プログラムを実行するための一時的な記憶領域である不揮発性メモリ、入出力ポート、プログラムを実行するプロセッサ等を有する。本実施の形態では、制御部３２は、通信Ｉ／Ｆ３６を介して端末装置７０から番組関連情報ＩＤを受信した場合に、番組関連情報テーブル３４ａを参照することにより、受信した番組関連情報ＩＤに対応する番組関連情報と遅延情報とを特定して通信Ｉ／Ｆ３６を介して端末装置７０に送信する制御を行う。
【００４２】
［２．動作］
［２−１．情報提供システム全体の動作］
次に、以上のように構成された本実施の形態における情報提供システム１０の動作（つまり、情報提供方法）について説明する。
【００４３】
図６は、本実施の形態における情報提供システム１０の動作を示す通信シーケンス図である。ここでは、放送局２０、テレビ受信機５０、番組関連情報サーバ３０、ネット情報サーバ４０及び端末装置７０間の通信手順が示されている。なお、本図では、無線ルータ６０の図示は省略されている。
【００４４】
まず、放送局２０は、放送波で、テレビ番組と並行して、任意のタイミングで、いま放送しているテレビ番組の番組関連情報を識別するための番組関連情報ＩＤを送信する（Ｓ１０）。これにより、テレビ受信機５０が、放送波によって、テレビ番組と、当該テレビ番組に関連する情報であるの番組関連情報を識別するための番組関連情報ＩＤとを受信する（放送波受信ステップ）。
【００４５】
テレビ番組と番組関連情報ＩＤとを受信したテレビ受信機５０は、受信したテレビ番組を表示部５６に表示するとともに、受信した番組関連情報ＩＤを、無線ルータ６０を介して、端末装置７０に転送する（Ｓ１１）。これより、端末装置７０が、テレビ受信機５０から、テレビ受信機５０が受信した番組関連情報ＩＤを受信する（番組関連情報ＩＤ受信ステップ）。
【００４６】
番組関連情報ＩＤを受信した端末装置７０では、番組関連情報表示制御部７４ａは、受信した番組関連情報ＩＤを番組関連情報サーバ３０に送信することにより（Ｓ１２）、番組関連情報サーバ３０から、番組関連情報ＩＤに対応する番組関連情報と所定の遅延時間（Δｔ）を示す遅延情報とを取得し（Ｓ１３）、取得した番組関連情報を、図７に示される表示例のように、表示部７６の第１表示領域７６ａに表示する（Ｓ１４；番組関連情報表示ステップ）。なお、図７では、端末装置７０の表示部７６における第１表示領域７６ａに、番組関連情報として、テレビ受信機５０で受信されているテレビ番組の詳細情報（番組補助情報）とそのテレビ番組に関連した広告（ＣＭ補助情報）とが表示されている。
【００４７】
そして、端末装置７０において、ネット情報表示制御部７４ｂは、通信ネットワーク１５を介してネット情報サーバ４０にネット情報の取得を要求することにより（Ｓ１５）、ネット情報サーバ４０からネット情報を取得し（Ｓ１６）、取得したネット情報を、図７に示される表示例のように、表示部７６の第２表示領域７６ｂに表示する（Ｓ１７；ネット情報表示ステップ）。このとき、ネット情報表示制御部７４ｂは、番組関連情報が第１表示領域７６ａに表示されてから、番組関連情報表示制御部７４ａが取得した遅延情報が示す所定の遅延時間（Δｔ）が経過した後に、ネット情報を第２表示領域７６ｂに表示する。なお、図７では、端末装置７０の表示部７６における第２表示領域７６ｂに、ネット情報として、ネット広告が表示されている。
【００４８】
以上の手順（Ｓ１０〜Ｓ１７）は、放送局２０から番組関連情報ＩＤが送信される度に（つまり、端末装置７０が新たに番組関連情報ＩＤを受信する度に）、繰り返される。つまり、番組関連情報表示ステップ（Ｓ１４）では、新たに番組関連情報ＩＤを受信する度に、当該番組関連情報ＩＤに対応する番組関連情報を番組関連情報サーバ３０から取得して第１表示領域に表示することによって、第１表示領域における表示の更新を繰り返し、ネット情報表示ステップ（Ｓ１７）では、ネット情報サーバ４０から新たにネット情報を取得して第２表示領域に表示することによって、第２表示領域における表示の更新を繰り返し、ネット情報表示ステップ（Ｓ１７）では、第１表示領域における表示が更新されてから所定の遅延時間が経過した後に、第２表示領域における表示を更新する。
【００４９】
これにより、端末装置７０では、番組関連情報の表示が切り替わってから、所定の遅延時間だけ経過した後に、ネット情報の表示が切り替わる。よって、端末装置７０に表示された番組関連情報の閲覧中（つまり、内容を理解する前に）ネット情報の表示が切り替わってしまうことが回避され、ユーザが番組関連情報の閲覧に集中できないという問題の発生が防止される。その結果、従来よりも、テレビ番組、番組関連情報、ネット情報の順でユーザが注視して閲覧することが確保される。
【００５０】
なお、図６のステップ図６のＳ１４〜Ｓ１７では、番組関連情報の表示を更新してから所定の遅延時間（Δｔ）が経過するまでネット情報の表示を更新しないだけでなく、所定の遅延時間（Δｔ）が決定された時点で表示されているネット情報の表示を消す（例えば、第２表示領域を白くする、又は、アプリ背景色と同じ色に塗る等）の処理をしておき、所定の遅延時間（Δｔ）が経過した後に、端末装置７０の表示部７６にネット情報用の領域を表示し、その領域の中に新しいネット情報を表示させてもよい。このような処理は、例えば、テレビ放送でＣＭ（コマーシャル）が放送されている間に、行ってもよい。
【００５１】
このような処理であっても、番組関連情報の表示が更新されてから所定の遅延時間（Δｔ）が経過するまでは、新たなネット情報が表示されるわけではないので（つまり、ネット情報の表示が消されているだけなので）、ユーザが番組関連情報の閲覧に集中できないという問題の発生は防止される。
【００５２】
［２−２．遅延情報の生成方法］
なお、番組関連情報サーバ３０が保持する番組関連情報テーブル３４ａの遅延情報については、放送局２０等の外部から番組関連情報サーバ３０が取得してもよいし、番組関連情報サーバ３０が自ら生成してもよい。
【００５３】
図８は、本実施の形態における番組関連情報サーバ３０が保持する番組関連情報テーブル３４ａの遅延情報の生成方法を示すフローチャートである。ここでは、番組関連情報サーバ３０による番組関連情報テーブル３４ａへの遅延情報（ある番組関連情報ＩＤに対応する遅延情報）の格納手順が示されている。なお、ここに示される手順は、番組関連情報サーバ３０が補助情報を実際に送信する前であればいつ実行されてもよい。
【００５４】
番組関連情報サーバ３０において、制御部３２は、通信ネットワーク１５を介して放送局２０等の外部から遅延情報を受信した場合には（Ｓ２０でＹｅｓ）、その遅延情報を該当する番組関連情報テーブル３４ａの箇所に格納する（Ｓ２１）。
【００５５】
一方、通信ネットワーク１５を介して外部から遅延情報を受信しない場合には（Ｓ２０でＮｏ）、制御部３２は、放送局２０等の外部から遅延情報を動的に生成する指示を受けているか否かを判断し（Ｓ２２）、その指示を受けているときには（Ｓ２２でＹｅｓ）、番組関連情報に基づいて、対応する遅延情報を生成（つまり、動的に生成）し、生成した遅延情報を該当する番組関連情報テーブル３４ａの箇所に格納する（Ｓ２３）。なお、この動的な生成では、例えば、制御部３２は、番組関連情報のデータサイズを算出し、算出したデータサイズに基づいて所定の遅延時間を決定し、決定した所定の遅延時間を示す遅延情報を生成する。より具体的には、制御部３２は、番組関連情報のデータサイズが大きいほど所定の遅延時間が大きくなるように番組関連情報のデータサイズの範囲と所定の遅延時間とを対応づけたテーブルを保持しておき、そのテーブルを参照することで、番組関連情報のデータサイズに基づいて遅延情報を生成する。
【００５６】
一方、遅延情報を動的に生成する指示を受けていない場合には（Ｓ２２でＮｏ）、制御部３２は、予め定めた設定値があるか（固定値が定められているか）否かを判断し（Ｓ２４）、予め定めた設定値があるときには（Ｓ２４でＹｅｓ）、その設定値を遅延情報として該当する番組関連情報テーブル３４ａの箇所に格納する（Ｓ２５）。なお、予め定めた設定値がないときには（Ｓ２４でＮｏ）、該当する番組関連情報テーブル３４ａの箇所には、遅延情報が格納されない状態（空欄）となる。
【００５７】
以上のような遅延情報の生成方法により、番組関連情報サーバ３０が保持する番組関連情報テーブル３４ａの遅延情報は、番組関連情報サーバ３０によって放送局２０等の外部から取得されたり、番組関連情報サーバ３０によって生成されたりする。
【００５８】
［２−３．遅延情報の送信方法］
なお、番組関連情報サーバ３０において、端末装置７０から要求された番組関連情報ＩＤに対する遅延情報が番組関連情報テーブル３４ａに格納されていない場合には、番組関連情報サーバ３０が端末装置７０からの要求を受信したのちに動的に遅延情報を生成してもよい。
【００５９】
図９は、本実施の形態における番組関連情報サーバ３０が端末装置７０に遅延情報を送信する際の手順を示すフローチャートである。ここでは、端末装置７０から要求された番組関連情報ＩＤに対する遅延情報を送信する場合の手順が示され、端末装置７０から要求された番組関連情報ＩＤに対する遅延情報が番組関連情報テーブル３４ａに格納されていない場合の手順も含まれている。
【００６０】
まず、番組関連情報サーバ３０において、制御部３２は、端末装置７０から要求された番組関連情報ＩＤに対する遅延情報が番組関連情報テーブル３４ａに格納されているか否かを判断し（Ｓ３０）、格納されている場合には（Ｓ３０でＹｅｓ）、その遅延情報を番組関連情報テーブル３４ａから読み出して端末装置７０に送信する（Ｓ３１）。
【００６１】
一方、端末装置７０から要求された番組関連情報ＩＤに対する遅延情報が番組関連情報テーブル３４ａに格納されていない場合には（Ｓ３０でＮｏ）、制御部３２は、放送局２０等の外部から遅延情報を動的に生成する指示を受けているか否かを判断し（Ｓ３２）、その指示を受けているときには（Ｓ３２でＹｅｓ）、番組関連情報に基づいて、対応する遅延情報を生成（つまり、動的に生成）し、生成した遅延情報を端末装置７０に送信する（Ｓ３３）。なお、この動的な生成では、例えば、制御部３２は、番組関連情報のデータサイズを算出し、算出したデータサイズに基づいて所定の遅延時間を決定し、決定した所定の遅延時間を示す遅延情報を生成する。より具体的には、制御部３２は、番組関連情報のデータサイズが大きいほど所定の遅延時間が大きくなるように番組関連情報のデータサイズの範囲と所定の遅延時間とを対応づけたテーブルを保持しておき、そのテーブルを参照することで、番組関連情報のデータサイズに基づいて遅延情報を生成する。
【００６２】
一方、遅延情報を動的に生成する指示を受けていない場合には（Ｓ３２でＮｏ）、制御部３２は、予め定めた設定値があるか（固定値が定められているか）否かを判断し（Ｓ３４）、予め定めた設定値があるときには（Ｓ３４でＹｅｓ）、その設定値を遅延情報として端末装置７０に送信する（Ｓ３５）。なお、予め定めた設定値がないときには（Ｓ３４でＮｏ）、制御部３２は、対応する番組関連情報だけを端末装置７０に送信し、遅延情報については、端末装置７０に送信しない（Ｓ３６）。
【００６３】
以上のような遅延情報の送信方法により、端末装置７０から要求された番組関連情報ＩＤに対する遅延情報が番組関連情報テーブル３４ａに格納されていない場合には、番組関連情報サーバ３０によって動的に遅延情報が生成されて端末装置７０に送信される。
【００６４】
（実施の形態の変形例）
なお、端末装置７０は、番組関連情報サーバ３０から遅延情報を受信しない場合には、自ら、所定の遅延時間を決定（つまり、動的に遅延情報を生成）してもよい。
【００６５】
図１０は、本実施の形態の変形例における情報提供システム１０の動作を示す通信シーケンス図である。ここでは、端末装置７０が番組関連情報サーバ３０から遅延情報を受信しない場合における情報提供システム１０の動作が示されている。なお、本図の通信シーケンスは、図６の通信シーケンスのステップＳ１３及びステップＳ１７だけが異なる。以下、図６と同じ手順については、同じ符号を付して説明を省略し、異なる点のみ説明する。
【００６６】
番組関連情報ＩＤを受信した端末装置７０では、番組関連情報表示制御部７４ａは、受信した番組関連情報ＩＤを番組関連情報サーバ３０に送信した後（Ｓ１２）、番組関連情報サーバ３０から、番組関連情報ＩＤに対応する番組関連情報だけ（遅延情報が含まれない情報）を取得する（Ｓ１３ａ）。
【００６７】
また、端末装置７０において、ネット情報表示制御部７４ｂは、ネット情報サーバ４０からネット情報を取得し（Ｓ１６）、取得したネット情報を表示部７６の第２表示領域に表示する（Ｓ１７ａ）が、ネット情報の表示においては、番組関連情報が第１表示領域に表示されてから、自ら決定した所定の遅延時間（Δｔ）が経過した後に、ネット情報を第２表示領域に表示する。なお、所定の遅延時間の決定方法については、予め定めた設定値（固定値）であってもよいし、番組関連情報表示制御部７４ａが取得した番組関連情報に基づいて所定の遅延時間を決定（動的に決定）してもよい。なお、動的な決定では、例えば、ネット情報表示制御部７４ｂは、番組関連情報表示制御部７４ａが取得した番組関連情報のデータサイズを算出し、算出したデータサイズに基づいて所定の遅延時間を決定してもよい。より具体的には、ネット情報表示制御部７４ｂは、番組関連情報のデータサイズが大きいほど所定の遅延時間が大きくなるように番組関連情報のデータサイズの範囲と所定の遅延時間とを対応づけたテーブルを保持しておき、そのテーブルを参照することで、番組関連情報のデータサイズに基づいて所定の遅延時間を決定してもよい。
【００６８】
以上のような実施の形態の変形例により、端末装置７０が番組関連情報サーバ３０から遅延情報を受信しない場合には、端末装置７０によって所定の遅延時間が決定される（つまり、動的に遅延情報が生成される）。
【００６９】
（まとめ）
以上のように、本実施の形態のおける情報提供方法は、テレビ番組の放送と並行して、テレビ番組の内容に連動した補助情報である番組関連情報を提供する情報提供システム１０であって、放送される可能性があるテレビ番組について、番組関連情報を保持し、外部からの指示に従って、通信ネットワーク１５を介して番組関連情報を提供する番組関連情報サーバ３０と、放送波によって、テレビ番組と、当該テレビ番組の番組関連情報を識別するための番組関連情報ＩＤとを受信するテレビ受信機５０と、テレビ受信機５０から、テレビ受信機５０が受信した番組関連情報ＩＤを受信する端末装置７０とを備える。端末装置７０は、表示画面を有する表示部７６と、番組関連情報ＩＤを受信すると、受信した番組関連情報ＩＤを番組関連情報サーバ３０に送信することにより、番組関連情報サーバ３０から、番組関連情報ＩＤに対応する番組関連情報を取得し、取得した番組関連情報を表示部７６の第１表示領域７６ａに表示する番組関連情報表示制御部７４ａと、通信ネットワーク１５に接続されたネット情報サーバから、通信ネットワーク１５を介して、ネット情報サーバが保持する情報であるネット情報を取得して表示部７６の第２表示領域７６ｂに表示するネット情報表示制御部７４ｂとを有する。ネット情報表示制御部７４ｂは、番組関連情報が第１表示領域７６ａに表示されてから所定の遅延時間が経過した後に、ネット情報を第２表示領域７６ｂに表示する。
【００７０】
このとき、番組関連情報表示制御部７４ａは、新たに番組関連情報ＩＤを受信する度に、当該番組関連情報ＩＤに対応する番組関連情報を番組関連情報サーバ３０から取得して第１表示領域７６ａに表示することによって、第１表示領域７６ａにおける表示の更新を繰り返し、ネット情報表示制御部７４ｂは、ネット情報サーバから新たにネット情報を取得して第２表示領域７６ｂに表示することによって、第２表示領域７６ｂにおける表示の更新を繰り返し、ネット情報表示制御部７４ｂは、第１表示領域７６ａにおける表示が更新されてから所定の遅延時間が経過した後に、第２表示領域７６ｂにおける表示を更新する。
【００７１】
これにより、端末装置７０では、番組関連情報の表示が切り替わってから、ネット情報の表示が切り替わる。よって、ユーザが端末装置７０に表示された番組関連情報の内容を理解する前にネット情報の表示が切り替わってしまうことが回避され、従来よりも、テレビ番組、番組関連情報、ネット情報の順でユーザが注視して閲覧することが確保される。
【００７２】
また、番組関連情報サーバ３０は、端末装置７０から番組関連情報ＩＤを受信した場合に、受信した番組関連情報ＩＤに対応する番組関連情報に加えて、所定の遅延時間を示す遅延情報を端末装置７０に送信し、番組関連情報表示制御部７４ａは、番組関連情報サーバ３０から、番組関連情報と遅延情報とを取得し、ネット情報表示制御部７４ｂは、番組関連情報が第１表示領域７６ａに表示されてから、番組関連情報表示制御部７４ａが取得した遅延情報が示す所定の遅延時間が経過した後に、ネット情報を第２表示領域７６ｂに表示する。
【００７３】
これにより、番組関連情報サーバ３０から送信される遅延情報によって所定の遅延時間が決定される。
【００７４】
また、番組関連情報サーバ３０は、放送される可能性があるテレビ番組について、番組関連情報ＩＤと、番組関連情報ＩＤに対応する番組関連情報と、番組関連情報ＩＤに対応する遅延情報とを含む番組関連情報テーブル３４ａを保持し、端末装置７０から番組関連情報ＩＤを受信した場合に、番組関連情報テーブル３４ａを参照することにより、受信した番組関連情報ＩＤに対応する番組関連情報と遅延情報とを特定して端末装置７０に送信する。
【００７５】
これにより、番組関連情報サーバ３０が保持する番組関連情報テーブル３４ａに登録された遅延情報が番組関連情報サーバ３０から端末装置７０に伝送される。
【００７６】
また、番組関連情報サーバ３０は、放送される可能性があるテレビ番組について、番組関連情報ＩＤと、番組関連情報ＩＤに対応する番組関連情報とを含む番組関連情報テーブル３４ａを保持し、端末装置７０から番組関連情報ＩＤを受信した場合に、番組関連情報テーブル３４ａを参照することにより、受信した番組関連情報ＩＤに対応する番組関連情報を特定し、特定した番組関連情報に基づいて遅延情報を生成し、特定した番組関連情報と生成した遅延情報とを端末装置７０に送信する。
【００７７】
たとえば、番組関連情報サーバ３０は、番組関連情報のデータサイズに基づいて所定の遅延時間を決定し、決定した所定の遅延時間を示す遅延情報を生成する。
【００７８】
これにより、番組関連情報サーバ３０によって動的に遅延情報が生成され、端末装置７０に伝送される。
【００７９】
また、ネット情報表示制御部７４ｂは、番組関連情報表示制御部が取得した番組関連情報に基づいて所定の遅延時間を決定し、番組関連情報が第１表示領域７６ａに表示されてから、決定した所定の遅延時間が経過した後に、ネット情報を第２表示領域７６ｂに表示する。
【００８０】
たとえば、ネット情報表示制御部７４ｂは、番組関連情報のデータサイズに基づいて所定の遅延時間を決定する。
【００８１】
これにより、端末装置７０において、所定の遅延時間が動的に決定される。
【００８２】
また、本実施の形態における情報提供方法は、テレビ番組の放送と並行して、テレビ番組の内容に連動した補助情報である番組関連情報を提供する情報提供方法であって、テレビ受信機５０が、放送波によって、テレビ番組と、当該テレビ番組に関連する情報であるの番組関連情報を識別するための番組関連情報ＩＤとを受信する放送波受信ステップと、端末装置７０が、テレビ受信機５０から、テレビ受信機５０が受信した番組関連情報ＩＤを受信する番組関連情報ＩＤ受信ステップと、端末装置７０が、番組関連情報ＩＤを受信すると、受信した番組関連情報ＩＤを、通信ネットワーク１５を介して番組関連情報サーバ３０に送信することにより、番組関連情報サーバ３０から、番組関連情報ＩＤに対応する番組関連情報を取得し、取得した番組関連情報を端末装置７０が備える表示部７６の第１表示領域７６ａに表示する番組関連情報表示ステップと、端末装置７０が、通信ネットワーク１５に接続されたネット情報サーバから、通信ネットワーク１５を介して、ネット情報サーバが保持する情報であるネット情報を取得して表示部７６の第２表示領域７６ｂに表示するネット情報表示ステップとを含み、ネット情報表示ステップでは、番組関連情報が第１表示領域７６ａに表示されてから所定の遅延時間が経過した後に、ネット情報を第２表示領域７６ｂに表示する。
【００８３】
このとき、番組関連情報表示ステップでは、新たに番組関連情報ＩＤを受信する度に、当該番組関連情報ＩＤに対応する番組関連情報を番組関連情報サーバ３０から取得して第１表示領域７６ａに表示することによって、第１表示領域７６ａにおける表示の更新を繰り返し、ネット情報表示ステップでは、ネット情報サーバから新たにネット情報を取得して第２表示領域７６ｂに表示することによって、第２表示領域７６ｂにおける表示の更新を繰り返し、ネット情報表示ステップでは、第１表示領域７６ａにおける表示が更新されてから所定の遅延時間が経過した後に、第２表示領域７６ｂにおける表示を更新する。
【００８４】
これにより、端末装置７０では、番組関連情報の表示が切り替わってから、ネット情報の表示が切り替わる。よって、ユーザが端末装置７０に表示された番組関連情報の内容を理解する前にネット情報の表示が切り替わってしまうことが回避され、従来よりも、テレビ番組、番組関連情報、ネット情報の順でユーザが注視して閲覧することが確保される。
【００８５】
（他の実施の形態）
以上、本開示に係る情報提供システム及び情報提供方法について、実施の形態及び変形例に基づいて説明したが、本発明は、このような実施の形態及び変形例に限定されるものではない。本発明の趣旨を逸脱しない限り、当業者が思いつく各種変形を本実施の形態又は変形例に施したものや、異なる実施の形態及び変形例における構成要素を任意に組み合わせて構築される形態も、本発明の範囲内に含まれる。
【００８６】
たとえば、上記実施の形態では、番組関連情報サーバ３０は、図５に示されるような、遅延情報を含む番組関連情報テーブル３４ａを有したが、図１１に示されるような、遅延情報を含まない番組関連情報テーブルを有してもよい。このような構成であっても、番組関連情報サーバ３０は、図９に示されるフローチャートのステップＳ３２〜Ｓ３５に従って、動的に遅延情報を生成して端末装置７０に送信したり、予め定められた設定値を示す遅延情報を端末装置７０に送信したりすることができる。また、端末装置７０では、番組関連情報サーバ３０から遅延情報を取得できない場合には、ネット情報表示制御部７４ｂは、図１０に示されるステップＳ１７ａのように、番組関連情報が第１表示領域に表示されてから、自ら決定した所定の遅延時間（Δｔ）が経過した後に、ネット情報を第２表示領域に表示する。なお、所定の遅延時間の決定方法については、予め定めた設定値（固定値）であってもよいし、番組関連情報表示制御部７４ａが取得した番組関連情報に基づいて所定の遅延時間を決定（動的に決定）してもよい。
【００８７】
また、上記実施の形態では、端末装置７０の表示部７６には、図７に示される画面表示例のように、番組関連情報とネット情報とが表示されたが、番組関連情報とネット情報の表示レイアウトは、図７に示される形態に限定されない。たとえば、図１２に示されるように、端末装置７０の表示部７６における表示画面を左右２つの領域（第１表示領域７６ａ及び第２表示領域７６ｂ）に分割し、その一方（第１表示領域７６ａ）に番組関連情報を表示し、他方（第２表示領域７６ｂ）にネット情報を表示してもよい。
【００８８】
また、本発明は、上記情報提供システム及び上記情報提供方法として実現できるだけでなく、上記情報提供方法に含まれるステップのうち、テレビ受信機５０で行われるステップをテレビ受信機５０が備えるプロセッサに実行させるプログラムとして実現したり、端末装置７０で行われるステップを端末装置７０が備えるプロセッサに実行させるプログラムとして実現したり、番組関連情報サーバ３０で行われるステップを番組関連情報サーバ３０が備えるプロセッサに実行させるプログラムとして実現したり、それらの各プログラムが記録されたコンピュータ読み取り可能な記録媒体として実現したりすることもできる。
【００８９】
以上のように、本開示における技術の例示として、実施の形態及び変形例を説明した。そのために、添付図面および詳細な説明を提供した。したがって、添付図面および詳細な説明に記載された構成要素の中には、課題解決のために必須な構成要素だけでなく、上記実装を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９０】
また、上述の実施の形態は、本開示における技術を例示するためのものであるから、特許請求の範囲またはその均等の範囲において種々の変更、置き換え、付加、省略などを行うことができる。
【産業上の利用可能性】
【００９１】
本開示は、テレビ番組の放送と並行して番組関連情報を提供する情報提供システムに適用可能である。具体的には、番組関連情報とともにネット情報をスマートフォン等の端末装置に表示する情報提供システム等に、本開示は適用可能である。
【符号の説明】
【００９２】
１０  情報提供システム
１５  通信ネットワーク（インターネット）
２０  放送局
３０  番組関連情報サーバ
３２  制御部
３４  記憶部
３４ａ  番組関連情報テーブル
３６  通信Ｉ／Ｆ
４０  ネット情報サーバ
５０  テレビ受信機
５２  放送受信部
５４  制御部
５６  表示部
５８  通信Ｉ／Ｆ
６０  無線ルータ
７０  端末装置
７２  入力部
７４  制御部
７４ａ  番組関連情報表示制御部
７４ｂ  ネット情報表示制御部
７６  表示部
７６ａ  第１表示領域
７６ｂ  第２表示領域
７８  通信Ｉ／Ｆ
【図１】
2016036073.tif 000003
【図２】
2016036073.tif 000004
【図３】
2016036073.tif 000005
【図４】
2016036073.tif 000006
【図５】
2016036073.tif 000007
【図６】
2016036073.tif 000008
【図７】
2016036073.tif 000009
【図８】
2016036073.tif 000010
【図９】
2016036073.tif 000011
【図１０】
2016036073.tif 000012
【図１１】
2016036073.tif 000013
【図１２】
2016036073.tif 000014